(57)【要約】【課題】より効果的に気血の誘導が可能な気血誘導材を提供する。【解決手段】気血誘導材１は、変形可能な金属線１０と、金属線１０の任意の位置に配置された磁石２０と、を備え、固定部材３０によって磁石２０は金属線１０に当接して固定されている。隣り合う磁石２０の間が磁化した金属線１０でつながれていることにより、経穴間に相対的な相乗効果が与えられる。これにより、気血の効果的な誘導が促進され、気血が順調に体内を巡っている状態に導き、気血誘導材１を使用した人を健康な状態へと導き得る。【選択図】図１
0003233317.tif 000002
【実用新案登録請求の範囲】
【請求項１】
変形可能な金属線と、
前記金属線の任意の位置に配置された磁石と、を備え、
固定部材によって前記磁石は前記金属線に当接して固定されている、
ことを特徴とする気血誘導材。
【請求項２】
複数個の前記磁石が任意の間隔を空けて配置されている、
ことを特徴とする請求項１に記載の気血誘導材。
【請求項３】
前記固定部材が接着剤である、
ことを特徴とする請求項１又は２に記載の気血誘導材。
【請求項４】
前記固定部材が軟質樹脂の筒状体であり、前記筒状体の中空部に前記磁石及び前記金属線が挿入されており、前記筒状体の収縮によって前記磁石が前記金属線に当接して固定されている、
ことを特徴とする請求項１又は２に記載の気血誘導材。
【請求項５】
前記金属線の前記磁石が固定されていない箇所が管状の被覆部材で被覆されている、
ことを特徴とする請求項１乃至４のいずれか一項に記載の気血誘導材。
【考案の詳細な説明】
【技術分野】
【０００１】
本考案は、気血誘導材に関する。
【背景技術】
【０００２】
経穴（つぼ）を磁石によって刺激するネックレス等の健康器具が種々提案されている（例えば、特許文献１〜２）。
【先行技術文献】
【特許文献】
【０００３】
【特許文献１】登録実用新案第３０２６９６６号公報
【特許文献２】登録実用新案第３０９５５１３号公報
【特許文献３】登録実用新案第３１０４１７０号公報
【特許文献４】特開２０１３−２５５７１１号公報
【考案の概要】
【考案が解決しようとする課題】
【０００４】
特許文献１〜４のようなネックレス等を装着した場合、磁石が血液中のＦｅに作用し、一時的に血液を集中させることになり、長時間使用などでは血流を滞らせてしまう可能性がある。
【０００５】
本考案は上記事項に鑑みてなされたものであり、その目的は、より効果的に気血の誘導が可能な気血誘導材を提供することにある。
【課題を解決するための手段】
【０００６】
本考案に係る気血誘導材は、
変形可能な金属線と、
前記金属線の任意の位置に配置された磁石と、を備え、
固定部材によって前記磁石は前記金属線に当接して固定されている、
ことを特徴とする。
【０００７】
また、複数個の前記磁石が任意の間隔を空けて配置されていることが好ましい。
【０００８】
また、前記固定部材が接着剤であってもよい。
【０００９】
また、前記固定部材が軟質樹脂の筒状体であり、前記筒状体の中空部に前記磁石及び前記金属線が挿入されており、前記筒状体の収縮によって前記磁石が前記金属線に当接して固定されていてもよい。
【００１０】
また、前記金属線の前記磁石が固定されていない箇所が管状の被覆部材で被覆されていてもよい。
【考案の効果】
【００１１】
本考案によれば、より効果的に気血の誘導が可能な気血誘導材を提供できる。
【図面の簡単な説明】
【００１２】
【図１】気血誘導材の外観図である。
【図２】気血誘導材が取り付けられたマスクの外観図である。
【図３】他の形態に係る気血誘導材の外観図である。
【図４】図４（Ａ）は、図３のＡ−Ａ’断面図、図４（Ｂ）は、図３のＢ−Ｂ’断面図である。
【考案を実施するための形態】
【００１３】
図を参照しつつ、本実施の形態に係る気血誘導材について説明する。気血誘導材１は、図１に示すように、金属線１０、磁石２０、固定部材３０を備える。金属線１０に複数個の磁石２０が当接し、固定部材３０によって固定されている。
【００１４】
金属線１０は、磁石２０によって磁化する強磁性体であり、例えば、鉄やクロム、コバルト等を主成分とする。金属線１０は手による操作などで変形可能であるとともに、外部から力が加わっていない状態ではその形状を保持できればよく、その直径は０．２〜１ｍｍであることが好ましい。
【００１５】
磁石２０は、永久磁石であり、例えば、フェライト磁石、ネオジム磁石などが挙げられる。磁石２０の配置位置は、気血誘導材１が用いられる体の部位であって、治療等のために意図された配列穴の位置に合うように調節して配置される。気血誘導材１は、後述するように体表に貼り付ける等により使用されるものであるため、重量がかさばらないよう、磁石２０は、小型であることが好ましい。
【００１６】
固定部材３０は、磁石２０を金属線１０に固定可能であればよく、ここでは、固定部材３０は接着剤であり、接着剤によって磁石２０と金属線１０とを当接させた状態で固定している。接着剤として、磁石２０と金属線１０とを固定した状態で保持できれば制限はないが、金属線１０を変形させた際でも磁石２０が固定された状態を保持できるよう、軟質のシリコーン樹脂やウレタン樹脂などを成分とする接着剤が挙げられる。
【００１７】
気血誘導材１は、人の体表に直接貼り付けたり、或いは、気血誘導材１を保持させた装着物を人が装着することで使用される。
【００１８】
気血誘導材１では、２つ以上の磁石２０を有しており、その間が金属線１０で繋がっている。磁石２０は経穴の位置に応じて配置されるので、経穴には磁石２０によって磁場が作られることで刺激が与えられる。そして、隣り合う磁石２０の間が磁化した金属線１０でつながれていることにより、経穴間に相対的な相乗効果が与えられる。これにより、気血の効果的な誘導が促進され、気血が順調に体内を巡っている状態に導き、気血誘導材１の使用者を健康な状態へと導き得る。
【００１９】
鍼灸において経穴とは留まることのない一本の流れが体全体に巡らされていることから、経穴と経穴とを結ぶことで、その流れがスムーズになると考えられている。気血誘導材１は、手で容易に自由な形状に変形させることが可能であるため、体の任意の箇所の経穴と経穴とを結ぶことを可能とし、気血の誘導を実現できる。どの経穴同士を結ぶか選択し、気血誘導材１をそれに応じた形状への変形、及び、磁石２０の配置位置の調節によって、より高い治療効果も期待できる。また、自由な形状に変形させることが可能であるため、汎用性にも優れ、例えば、気血誘導材１を耳に巻き付けて使用するなど、体の様々な部位に適用可能である。
【００２０】
上述した装着物として、人が装着可能な物であればよく、治療のために使用されるバンドやサポーターのほか、日常的に使用されるサンダルや下駄等の履き物、マスクなど種々の物が挙げられる。装着物への気血誘導材１の取り付け手法は、装着物に内蔵させて固定したり、装着物の内側に貼り付けたりする等、公知の手法で行い得る。これら種々の装着物へ取り付けられる気血誘導材１は、装着物が装着される体表の経穴の位置に応じて、磁石２０の位置が調節されているものが用いられる。
【００２１】
装着物の具体的な一例として、図２にマスクを示している。マスクの内側の上部に磁石２０が２つ固定された気血誘導材１が取り付けられている。なお、図２では説明の容易化のため、固定部材３０の図示を省略している。
【００２２】
気血誘導材１は上述した機能を発揮し得る限り、種々の変形が許容される。例えば、図３の気血誘導材２では、図４（Ａ）に示すように、筒状の固定部材３０によって、磁石２０が金属線１０に当接して固定されている。筒状の固定部材３０は、軟質樹脂の素材から構成されている。軟質樹脂は、伸張、収縮可能な素材であれば制限されず、シリコーンゴム、ウレタンゴム等が挙げられ、生体適合性に優れるシリコーンゴムであることが好ましい。外部から力を加えて筒状の固定部材３０の内径を拡張した状態にて金属線１０及び磁石２０を挿入し、外部からの力を除くと収縮力によって金属線１０と磁石２０との固定状態が保持される。
【００２３】
また、気血誘導材２では、図４（Ｂ）に示すように、磁石２０が固定されていない箇所の金属線１０が管状の被覆部材４０で被覆されている。例えば、被覆部材４０は、上記の軟質樹脂から構成される筒状体であり、金属線１０の外径より大きい内径を有する筒状体が用いられている。磁石２０間の金属線１０が被覆部材４０に挿入されることで取り付けられている。気血誘導材２では、金属線１０の磁石２０が固定されていない位置が被覆部材４０で覆われているため、気血誘導材２を直接体表に貼り付けて使用する際など、肌当たりを快適にすることができる。
【００２４】
また、金属線１０の一部、例えば、一部の磁石２０同士の間、即ち、経穴同士の間に影響を与えたくない場合、その箇所の金属線１０が非磁性材料から構成されていてもよい。非磁性材料によって磁場の流れを遮断できるので、経穴同士の間への影響を抑えることでき、治療体系に応じて自由に選択され得る。また、上記では、金属線１０の両端が開放端であったが、一方の端部、或いは、両方の端部に磁石２０が固定されて閉じられた形態であってもよい。
【符号の説明】
【００２５】
１    気血誘導材
２    気血誘導材
１０    金属線
２０    磁石
３０    固定部材
４０    被覆部材
【図１】
0003233317.tif 000003
【図２】
0003233317.tif 000004
【図３】
0003233317.tif 000005
【図４】
0003233317.tif 000006